【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】無限軌道車両用空気入り駆動タイヤ
【手続補正２】
【補正対象書類名】明細書
【補正対象項目名】特許請求の範囲
【補正方法】変更
【補正の内容】
【特許請求の範囲】
【請求項１】  一対の環状のビード（２４）と、一方のビード（２４）から他方のビード（２４）へ半径方向外側に延びるカーカス補強構造（３０）と、該カーカス補強構造（３０）に隣接する前記各ビード（２２）から半径方向外側のトレッド（１２）へ半径方向外側に延びる弾性のサイドウォール（１６）とを有する、無限軌道車両（１）用空気入り駆動タイヤ（１０）において、
前記トレッド（１２）は、
内側トレッド（１４）と、
前記内側トレッド（１４）の表面から半径方向外側に、ある距離（ｈ）だけ延びている複数のラグ（４０）であって、該ラグ（４０）は第１の列と第２の列に分けられ、前記第１の列は前記サイドウォール（１６）から前記トレッド（１２）の中心面に向かって延び、前記第２の列は反対側のサイドウォール（１６）から前記トレッド（１２）の中心面に向かって延び、前記第１の列の複数のラグ（４０）は前記第２の列の複数のラグ（４０）に対して周方向にずれており、かつ前記第２の列の複数のラグ（４０）に形状は類似しているがこれらと反対向きであり、前記各ラグは大きい軸方向内端（４６）を有する、前記複数のラグ（４０）と、
前記内側トレッド（１４）の表面から前記距離（ｈ）より短い距離だけ半径方向外側に延びている、周方向に連続した浅い中央リブ（５０）と、
を有し、
前記複数のラグ（４０）と、前記内側トレッド（１４）の表面と、前記連続した浅い中央リブ（５０）との組合わせは、前記トレッド（１２）を横切り前記サイドウォール（１６）から前記反対側のサイドウォール（１６）へ延びる、土を排出する連続した流路（７０）の空隙を作るように互いに間隔をおいて位置している、
ことを特徴とする無限軌道車両用空気入り駆動タイヤ。
【請求項２】  前記トレッド（１２）は３つの部分、すなわち前記トレッドの幅の１／６である第１の外側部分（６０）と、前記トレッドの幅の１／６である第２の外側部分（６２）と、前記トレッドの幅の２／３である中央部分（６６）に分けられ、前記各部分（６０，６２，６６）は、前記タイヤの外周の周りを測定した正味接触面積を有し、前記第１の外側部分（６０）と前記第２の外側部分（６２）の前記接触面積は、それぞれの部分の総周囲面積の６０％よりも小さく、前記中央部分（６６）は、６０％を越える正味接触面積を有する、請求項１記載の無限軌道車両用空気入り駆動タイヤ。
【請求項３】  前記各ラグ（４０）は、半径方向外面（４４）と軸方向外側部分（４２）とを結ぶ丸み部分（４８）を有し、該丸み部分（４８）の半径は、前記タイヤ（１０）が駆動している無限軌道（２）の中央ガイドの半径よりも小さく、これにより、前記ラグ（４０）の前記軸方向外側部分（４２）と前記サイドウォール（１６）の、前記無限軌道（２）との接触が最小になる、請求項１記載の無限軌道車両用空気入り駆動タイヤ。
【手続補正３】
【補正対象書類名】明細書
【補正対象項目名】０００１
【補正方法】変更
【補正の内容】
【０００１】
（技術分野）
本発明は、農業用自動車等のための無限軌道車両に関する。特に、本発明は、このような無限軌道車両用の空気入り駆動タイヤと車輪に関する。
【手続補正４】
【補正対象書類名】明細書
【補正対象項目名】０００３
【補正方法】変更
【補正の内容】
【０００３】
従来技術の、チャールズ・イー・グラウェイ（Charles E. Grawey）らへの米国特許第５，２７９，３７８号には、摩擦駆動ベルト掛け作業車が開示されている。この出願において、グラウェイ（Grawey）は、駆動車輪としてゴム被覆をした一対の堅い車輪を有する金属被覆車輪組立体の使用を開示している。また、クッション車輪が駆動車輪として使用可能であり、代わりの実施例において、バイアスベルト掛け空気入りタイヤは一対で使用され、駆動車輪をベルト掛け車両に提供する。この出願において、グラウェイ（Grawey）らは、金属のまたはクッションの車輪が、種々の理由で空気入り車輪よりも好ましいと助言している。グラウェイ（Grawey）は、駆動車輪とベルトの間のパンタグラフ式の動作と相対運動が許容できず、まだ相応の摩耗を生じていることに注目している。彼は、さらに、すべてのバイアスタイヤが経験する良く知られたパンタグラフ式の動作以外に、バイアスタイヤが負荷時に、無負荷時のこのようなタイヤの外周面の周りの長さよりも約２〜３％だけ短い、１回転当たりのフットプリントをなぞることに注目している。このような周面の変化現象は、ベルト内面と駆動車輪トレッド部分との間の相対的運動を行なわせる。このような運動の結果、トレッドラッグの前縁を摩耗させ、駆動部の牽引長さを減少させる。このような摩耗の実際の影響は、ベルトの表面にあるトレッドラグの拭き取り作用を実質的に減少させる。これは、彼らが泥の中でまたは不利な摩擦係数減少要請の際に、駆動車輪構造とベルトとの間の摩擦結合を順次減少させる。摩擦係合を実施するバイアス車輪のベルトに対するこのような相対的運動の結果、ベルトとタイヤが摩耗する。そこで発明者は、無限軌道またはベルトとクッションまたは堅い車輪構造との間の相対的運動がないことがこれらの摩耗問題を大いに減少させることに注目し続けた。
【手続補正５】
【補正対象書類名】明細書
【補正対象項目名】０００７
【補正方法】変更
【補正の内容】
【０００７】
本発明のさらなる目的は、タイヤトレッド領域におけるいかなるスリップも最小にするための牽引特性を有する駆動車輪位置にある空気入りタイヤを提供することである。
【手続補正６】
【補正対象書類名】明細書
【補正対象項目名】０００８
【補正方法】変更
【補正の内容】
【０００８】
（発明の概要）
本発明は、無限軌道車両用空気入り駆動タイヤ（１０）に関する。タイヤ（１０）は、バイアス角度を持った２層以上のプライ（３２，３４）を有するカーカス補強構造（３０）を有する。第１のプライ（３２）のコードは、第２のプライ（３４）のコードに対して反対側を向いている。タイヤ（１０）は、ベルトまたはブレイカを持たないことが好ましく、そして、アスペクト比が１００％であることが好ましい。タイヤ（１０）は、トレッド全体を横断して延び、土を排出する流路（以下、「泥排出流路（７０）」とも言う）を造る空隙を備えたトレッドを有する。タイヤトレッド（１２）は、高接触領域を示す中央領域（６６）と、低接触領域を有する軸方向外側領域（６０，６２）を有するのが好ましい。トレッドラグ（４０）はまた、タイヤサイドウォール（１６）が無限軌道（２）へ接触するのを制限するように設計された丸み部分（４８）を有する。
【手続補正７】
【補正対象書類名】明細書
【補正対象項目名】０００９
【補正方法】変更
【補正の内容】
【０００９】
各タイヤ（１０）は、一対の環状ビード（２４）と、一方のビード（２４）から他方のビード（２４）へ半径方向外側に延びるカーカス補強構造（３０）と、カーカス補強構造（３０）に隣接する各ビード（２４）から半径方向外側のトレッド（１２）へと半径方向外側に延びる弾性サイドウォール（１６）を有する。このトレッド（１２）は、内側トレッド（１４）の表面と、この内側トレッド（１４）からある距離（ｈ）だけ半径方向外側に延びる複数のラグ（４０）を有することを特徴とする。ラグ（４０）は第１の列と第２の列に分けられる。第１の列はサイドウォール（１６）からトレッドの中心面へ延びている。第２の列は反対側のサイドウォールからトレッド（１２）の中心面へ延びている。第１の列からの複数のラグ（４０）は、第２の列の複数のラグ（４０）とは周方向にずれており、かつ第２の列の複数のラグ（４０）と形は類似しているが方向はこれらと反対を向いている。各ラグ（４０）は大きい軸方向内端（４６）を有する。周方向に連続する浅い中央リブ（５０）は、内側トレッド（１４）から半径方向外側に、距離（ｈ）の半分よりも短い距離だけ延びている。複数のラグ（４０）と、内側トレッド（１４）と、連続した浅い中央リブ（５０）との組合わせは、トレッド（１２）を横切りサイドウォール（１６）から反対側のサイドウォール（１６）へ延びる連続的な泥排出流路（７０）用の空隙を作るように間隔をおいて位置している。
【手続補正８】
【補正対象書類名】明細書
【補正対象項目名】００１３
【補正方法】変更
【補正の内容】
【００１３】
（発明の詳細な説明）
図１を参照すれば、車両（１）は組み付けられた無限軌道（２）と駆動車輪組立体（４）とともに示されている。代表的な例において、車両（１）は、無限軌道に乗せられた前進、後退駆動車輪位置を有する。各車輪位置は、図２の断面図にも示されているように２つの車輪（４）を有する。これらの無限軌道（２）は、周方向に揃っているが一対の各駆動車輪（４）間では逆方向になっている不可欠なガイドラグ（５）を有する。これらのガイドラグ（５）は、無限軌道（２）が車輪（４）の端から越えてスリップするのを防ぐ。無限軌道（２）の外側には、示されるように或る向きをしたパターン内に置かれた横棒（cross bars）またはラグ（６）を備えたゴム性のトレッド（３）を有する。示されているように、本願においては他の支持構造や大きなものは何ら使用されていない。空気入りタイヤ（１０）は、車両（１）に対応したばね性を備え、車両（１）が複雑な車体懸架システムなしに提供され得るようにクッションを備える。無限軌道（２）は、周面方向の無限軌道（２）に沿って走るコード（７）により補強されている。車輪組立体（４）は、無限軌道の内側の滑らかな面に沿ってガイドラグ（５）の各側に乗っている。
【手続補正９】
【補正対象書類名】明細書
【補正対象項目名】００１９
【補正方法】変更
【補正の内容】
【００１９】
さらに図６に示されるように、各ラグ（４０）は、ラグ（４０）の軸方向外側部分（４２）と各ラグ（４０）の半径方向外側面（４４）とを結ぶゆったりとした丸み（４８）を有する。この丸み（４８）は、タイヤ（１０）が取り付けられるべき無限軌道（２）の丸みよりも小さいことが好ましいと思われる。この関係が実施されると、タイヤ（１０）は、ガイドラグ（５）の丸みの部分でガイドラグ（５）と無限軌道（２）の内面とが無理なく接触し、こうしてタイヤサイドウォール（１６）は厳しい横方向荷重を受けている場合を除き通常無限軌道（２）のガイドラグ（５）との接触から解放される。これにより、タイヤ（１０）は、Ｖベルトがプーリーに装着されるという方法に従わないで済む。この見地に立って、トレッド（１２）の中央部（６６）は、タイヤ（１０）本来の駆動牽引性能を持続し、したがって、上記無限軌道（２）の内面とタイヤ車両組立体のトレッド（１２）が泥や塗れた薄い土で滑らかになる時でもタイヤ（１０）が滑らないように、充分な溝付きの高接触面積が提供されなければならない。これは特に、タイヤ（１０）が最小のトレッド幅を持つように設計される時に明白である。本発明のタイヤ（１０）は、拘束するベルトやブレイカを必要としないと思われる時でも、上述のトレッド（１２）の有利な牽引特性を失うことないように望まれるならばそれらが付加され得ることが理解されよう。しかしながら、ベルトやブレイカは、上述のバイアスカーカス補強構造に構成される時、タイヤ（１０）の不必要な特徴であると考慮されるものと考えられる。
【手続補正１０】
【補正対象書類名】明細書
【補正対象項目名】００２０
【補正方法】変更
【補正の内容】
【００２０】
興味深いことに、タイヤ（１０）は、上述のように製造される時、トレッド（１２）において比較的大きい正味の接触面積と比較的小さいノンスキッド深さを有する。比較的狭い断面幅と充分に小さい直径を持ったタイヤ（１０）は、重量が極端に軽いが使用に対する耐久性が非常に高い。トレッド（１２）を横切る連続的流路（７０）は優れた破片排出性能を提供しており、第１列のラグ（４０）が第２の列のラグとは周方向に食い違っていることによって、タイヤ（１０）は、振動により誘発される高調波を非常に減少させる、均一で良好な乗り心地を維持でき、これは、さらに車両（１）の乗り心地を高める。
堅い車輪が非常に重い荷重用に最適であることが容易に認められる一方、さらに、本発明の空気入りタイヤ（１０）はベルトまたは無限軌道（２）に対し表面の牽引性を増大させ、それは中程度の重量の車両を軽量車両に代えることを可能にし、これは無限軌道システムを採用する全体のコストを非常に減少させる。